(57)【要約】【課題】頬紅を施す起点を決めることが簡単にできるようにする補助具を提供することを課題とする。【解決手段】シート状の合成樹脂製であり、頬紅を施す起点を決めるための開口１２を有するリング部１１と、このリング部１１より左右に延びており、リング部１１を中心に目盛が付けてある帯状部２０，３０と、リング部１１より張り出ており摘むのに利用される掴み部４０とを有する。補助具１０を顧客の顔の頬に、帯状部２０がアリキュラ、帯状部３０が鼻の先を通るようにした向きで当てがい、目盛を読んで位置を適宜調整して、リング部１１がアリキュラと鼻の先との丁度中間に位置するようにする。このときの開口１２の中心Ｏに対向する位置が、頬紅を施す起点である。【選択図】図１
0003121488.tif 000002
【実用新案登録請求の範囲】
【請求項１】
頬紅を施す起点を決めるために使用されるシート状のチークメーキャップ用補助具であって、
頬紅を施すための開口を有する囲い部と、
該囲い部より左側に帯状に延在している左側帯状部と、
該囲い部より右側に帯状に延在している右側帯状部と、
該囲い部より張り出ており摘むのに利用される掴み部とを有する構成のチークメーキャップ用補助具。
【請求項２】
請求項１に記載のチークメーキャップ用補助具であって、
前記左側帯状部及び右側帯状部は、夫々前記開口の中心を基準として対称となるように付してある数値付き目盛を有する構成であるチークメーキャップ用補助具。
【請求項３】
請求項１又は請求項２に記載のチークメーキャップ用補助具であって、
前記左側帯状部及び右側帯状部は、その上側の縁の延長線が前記開口の中心を通るように配置してある構成としたチークメーキャップ用補助具。
【請求項４】
請求項１又は請求項２に記載のチークメーキャップ用補助具であって、
前記囲い部の個所で鈍角に折り曲げてある構成であるチークメーキャップ用補助具。
【請求項５】
請求項１又は請求項２に記載のチークメーキャップ用補助具であって、
前記左側帯状部及び右側帯状部は、その上側の縁の延長線が前記開口の中心を通るように配置してあり、
前記囲い部の個所で鈍角に折り曲げて折り目が形成してあり、該折り目は、その延長線が前記開口の中心を通るように配置してあり、
前記左側帯状部及び右側帯状部の上側の縁の延長線と前記折り目の延長線との交点が前記開口の中心である構成としたチークメーキャップ用補助具。
【請求項６】
請求項１又は請求項２に記載のチークメーキャップ用補助具であって、
色付きの合成樹脂シート製であることをチークメーキャップ用補助具。
【考案の詳細な説明】
【技術分野】
【０００１】
本考案はチークメーキャップ用補助具に係り、特に、頬に頬紅を施すときの起点を決めるのに便利なチークメーキャップ用補助具に関する。
【背景技術】
【０００２】
チークメーキャップにおいては、頬紅を施す起点（ベストポイント）が重要である。本出願人は、先に、特願２００５−３７９３４９号において、顔の幾つかのポイントを基準にして上記の頬紅を施す起点を探し求める方法等に関して出願を行った。この出願の発明によれば、頬紅を施す起点は、鼻の先端と、片方の耳のアリキュラ(auricular、耳の穴の中心位置であって、口をあけたときに凹む耳の前側の位置)との間の丁度中間の点である。
【０００３】
ところで、不特定多数の人が訪れる実際に化粧を行う現場で、美容部員であるスタッフが訪れた顧客に対して化粧を行う作業においては、頬紅を施す起点は、上記の出願の内容である起点を探し求める方法を訓練したスタッフが頭の中で、顧客の顔の形等を考慮して顧客の顔に仮想の線を引いて、目検討で決めているのが現状である。
【考案の開示】
【考案が解決しようとする課題】
【０００４】
このため、スタッフの技量によって、頬紅を施す起点が少し異なってしまい、化粧の品質に差が出来てしまうことがあった。
【０００５】
そこで、本考案は、スタッフの技量に影響されずに、頬紅を施す起点を正しくしかも簡単に決めることを可能したチークメーキャップ用補助具を提供することを目的とする。
【課題を解決するための手段】
【０００６】
上記課題を解決するため、本考案は、頬紅を施す起点を決めるために使用されるシート状のチークメーキャップ用補助具であって、
頬紅を施すための開口を有する囲い部と、
該囲い部より左側に帯状に延在している左側帯状部と、
該囲い部より右側に帯状に延在している右側帯状部と、
該囲い部より張り出ており摘むのに利用される掴み部とを有する構成としたものである。
【考案の効果】
【０００７】
本考案のチークメーキャップ用補助具を使用することによって、スタッフの誰もが頬紅を施す起点を正しく且つ簡単に決めることが出来る。よって、スタッフの技量によって化粧の品質に差異が表れ難くすることが出来、最終的には顧客満足度を上げることが出来る。
【考案を実施するための最良の形態】
【０００８】
次に本考案の実施の形態について説明する。
【実施例１】
【０００９】
［チークメーキャップ用補助具１０の構成］
図１及び図２（Ａ），（Ｂ）、（Ｃ）は本考案の実施例１になるチークメーキャップ用補助具１０を示す。このチークメーキャップ用補助具１０は頬紅を施す起点を特定するために顧客の顔に当てて使用されるものであり、図１は使用するときの姿勢で示す。Ｙ１−Ｙ２はチークメーキャップ用補助具１０の長手方向であり、略水平の方向である。Ｚ１−Ｚ２はチークメーキャップ用補助具１０の短手方向であり、略垂直の方向である。Ｚ１は上方向、Ｚ２は下方向である。Ｘ１−Ｘ２はチークメーキャップ用補助具１０の厚みの方向である。
【００１０】
チークメーキャップ用補助具１０は、中央のリング部（囲い部）１１と、リング部１１よりＹ１方向に帯状に延在しているＹ１側帯状部２０と、リング部１１よりＹ２方向に帯状に延在しているＹ２側帯状部３０と、リング部１１よりＺ２方向に張り出ている掴み部４０とを有する構成であり、リング部１１の中心Ｏを通るＺ軸線７０に関して対称な形状である。また、Ｙ１側帯状部２０とＹ２側帯状部３０とは、一直線上に並んでいる。
【００１１】
このチークメーキャップ用補助具１０は、人の顔の鼻の先から、片方の耳のアリキュラ(auricular)までの長さよりも少し長い長さＬを有する。Ｙ１、Ｙ２側帯状部２０、３０は殆どの顧客に対応できるよう夫々約６０ｍｍと長い。しかも、Ｙ１、Ｙ２側帯状部２０、３０の幅Ｗは後述する使用時にじゃまとならずに、取り扱い易いように１０ｍｍ程度と狭い。よって、チークメーキャップ用補助具１０は全体として細長い形状となっているけれども、素材として、厚さｔが０．４ｍｍである合成樹脂シートを使用しているため、チークメーキャップ用補助具１０は腰がしっかりしており、形状を安定に維持する。しかも、Ｙ１側帯状部２０は矢印Ａ方向に、Ｙ２側帯状部３０は矢印Ｂ方向に、容易に弾性的に撓むことが可能であり、チークメーキャップ用補助具１０は人の顔の表面に沿わせることが可能である。また、チークメーキャップ用補助具１０は使用時に人の顔を傷つけないように、各コーナ部は丸みを有しており、且つ、素材も柔らかい材料を使用している。
【００１２】
１２はリング部１１の内側の円形の開口である。開口１２は、頬紅を施す起点を示す部分を特定する部分であり、頬ブラシを当て易いように径Ｄは約３０ｍｍと大きい。
【００１３】
５０は折り目であり、掴み部４０とリング部１１とに、開口１２の中心Ｏを通るＺ軸線に沿って形成してある。この折り目５０によって、図２（Ｂ）に示すように、Ｙ１側帯状部２０とＹ２側帯状部３０とは、角度αの開き角度となっている。角度αは、１８０度に近い鈍角である。これによって、チークメーキャップ用補助具１０は、Ｙ１側帯状部２０の先端とＹ２側帯状部３０の先端とを通る面Ｓに対して、リング部１１がＸ１方向にシフトしている形状、即ち、開き角度の大きいＶ字形状となっており、人の顔の表面にフィットし易くなっている。
【００１４】
また、各帯状部２０、３０には、数値付き目盛２１，３１が形成してある。目盛の間隔は５ｍｍである。目盛２１，３１には数値が付してあり、数値はリング部１１に近い側が小さく、リング部１１から遠くなると大きくなるように付してある。即ち、目盛２１，３１及び数値は、開口１２の中心Ｏに関して対称となるように付してある。よって、例えば、Ｙ１側帯状部２０の数値「５」の目盛２１の位置と、Ｙ２側帯状部３０の数値「５」の目盛３１の位置とは、開口１２の中心Ｏより同じ距離離れた位置である。
【００１５】
また、各帯状部２０、３０は、リング部１１の中心よりもＺ２側にずれた個所に配置してあり、各帯状部２０、３０のＺ１側である上側の縁２２，３２の延長線６０が開口１２の中心Ｏを通るようになっている。
【００１６】
掴み部４０は、化粧を施すスタッフが利き手でない方の手の指で挟んで掴むことが可能である形状及び大きさを有している。
【００１７】
また、チークメーキャップ用補助具１０はピンク系の色彩としてあり、汚れが目立たないようにしてある。
【００１８】
開口１２の中心Ｏは、折り目５０の延長線７０と両側の帯状部２０、３０の上側縁２２，３２の延長線６０との交点である。よって、スタッフは折り目５０及び帯状部２０、３０を手がかりに開口１２の中心Ｏを正確に見定めることが可能である。
［チークメーキャップ用補助具１０の使用の仕方の一例］
次に、上記のチークメーキャップ用補助具１０を使用してチークメーキャップを行う操作、より具体的には、上記のチークメーキャップ用補助具１０を使用して頬紅を施す起点を特定する操作について説明する。
【００１９】
図３中、１００は顧客の顔であり、１０１は左側の頬、１０２は左側の頬、１０３は鼻の先端、１０４は左の耳のアリキュラ、１０５は右の耳のアリキュラ、１０６は左の耳、１０７は左の耳である。
［頬紅を施す起点を特定する操作］
［第１のステップ］
スタッフは、顧客の左の耳のアリキュラ１０４の場所を確認し、図３に示すように、利き手でない方の手２００の指で掴み部４０は挟んで掴んで、顧客の顔１００の左側の頬１０１に近づけ、目検討で、リング部１１が顧客の顔の左側の頬１０１の略中心に位置し、且つ、Ｙ１側帯状部２０が左の耳１０６の方向に向かい、Ｙ２側帯状部３０が鼻の先端１０３に向かう姿勢とし、更には、Ｙ２側帯状部３０の上側縁３２が鼻の先端１０３に対向し、且つ、Ｙ１側帯状部２０の上側縁２２がアリキュラ１０５に対向するように位置を調整して、リング部１１を顧客の顔の左側の頬１０１に軽く押し付ける。
【００２０】
［第２のステップ］
図４に示すように、スタッフは、利き手の指３００で、Ｙ２側帯状部３０を軽く押して顧客の鼻の先端１０３に軽く押つけて、鼻の先端１０３に対応する目盛の数字を読む。このときＹ２側帯状部３０は、図１中、矢印Ｂで示すように容易に撓んで、鼻の先端１０３に当る。しかも、帯状部３０のうち上側縁３２が鼻の先端１０３に当るため、鼻の先端１０３に対応する目盛の数字は読み取り易い。
【００２１】
［第３のステップ］
続いて、図５に示すように、Ｙ１側帯状部２０を軽く押して顧客の顔１００に軽く押つけて、左の耳のアリキュラ１０４に対応する目盛の数字を読む。このときＹ１側帯状部２０は、図１中、矢印Ａで示すように更にはＸ２方向に凹むよう容易に撓んで、アリキュラ１０４に押し当てられる。また、帯状部２０のうち上側縁２２がアリキュラ１０４に当るため、アリキュラ１０４に対応する目盛の数字は読み取り易い。
【００２２】
［第４のステップ］
両者の目盛の差に応じて、スタッフは、チークメーキャップ用補助具１０の位置を図６に矢印Ｃで示すようにチークメーキャップ用補助具１０の長手方向に適宜動かして、図６に示すように、鼻の先端１０３に対応する目盛の数字と左の耳のアリキュラ１０４に対応する目盛の数字とが等しくなるように位置を調整する。
【００２３】
［第５のステップ］
スタッフは折り目５０及び帯状部２０、３０の縁２２，３２を手がかりに開口１２の中心Ｏを見定める。頬１０１のうち、このときの開口１２の中心Ｏに対応する位置Ｐ１が頬紅を施す起点である（図６参照）。
【００２４】
［第６のステップ］
スタッフは、図７に示すように、チークメーキャップ用補助具１０を顧客の顔に当てたまま、利き手３０１に持った頬ブラシ４００を使用して、頬１０１のうちリング部１１の開口１２に露出している部分の中央（点Ｏの位置）に頬紅を施す。
【００２５】
左側の頬１０２に対しても、上記と同じ操作を行って、頬紅を施す起点を求め、ここに、頬紅をのせる。
【００２６】
なお、上記の一連の操作は一例であり、上記の操作に限らず、他の操作も可能である。
【００２７】
また、チークメーキャップ用補助具１０は、リング部１１の中心Ｏを通るＺ軸線７０に関して対称な形状であり、長手方向に関しては方向性がないため、スタッフはチークメーキャップ用補助具１０の向きを気にしないで使用することが出来、チークメーキャップ用補助具１０は使い勝手が良い。
［チークメーキャップ操作］
スタッフは、チークメーキャップ用補助具１０を顧客の顔から離し、ブラシを使用して頬紅を延ばして、チークメーキャップを行う。
【００２８】
なお、チークメーキャップ用補助具１０は、リング部１１がＹ方向或いはＺ方向に長い楕円形の囲い状であり、開口１２が同じく楕円形状である構成としてもよい。
【図面の簡単な説明】
【００２９】
【図１】本考案の実施例になるチークメーキャップ用補助具の斜視図である。
【図２】図１のチークメーキャップ用補助具を示す図である。
【図３】第１のステップにおけるチークメーキャップ用補助具の使用状態を示す図である。
【図４】第２のステップにおけるチークメーキャップ用補助具の使用状態を示す図である。
【図５】第３のステップにおけるチークメーキャップ用補助具の使用状態を示す図である。
【図６】第４のステップにおけるチークメーキャップ用補助具の使用状態を示す図である。
【図７】第６のステップにおけるチークメーキャップ用補助具の使用状態を示す図である。
【符号の説明】
【００３０】
１０  チークメーキャップ用補助具
１１  リング部
２０  Ｙ１側帯状部
２１  数値付き目盛
２２  上側縁
３０  Ｙ２側帯状部
３１  数値付き目盛
３２  上側縁
４０  掴み部
５０  折り目
６０，７０  延長線
【図１】
0003121488.tif 000003
【図２】
0003121488.tif 000004
【図３】
0003121488.tif 000005
【図４】
0003121488.tif 000006
【図５】
0003121488.tif 000007
【図６】
0003121488.tif 000008
【図７】
0003121488.tif 000009